(57)【要約】【課題】簡易な構造でありながら、容易に火力の調節を行うことができる五徳を提供する。【解決手段】五徳３は、バーナ用開口１ａを囲うようにして、天板１から突出している支柱３０と、支柱３０に載置される五徳本体部３１とを備える。五徳本体部３１は、支柱３０に載置される第１底部３１ｆと、第１底部３１ｆよりも下方に位置し、第１底部３１ｆと選択的に支柱３０に載置される第２底部３１ｇとを有する。【選択図】図１
2019207037.tif 000002
【特許請求の範囲】
【請求項１】
バーナボディを囲うようにして設けられ、コンロの天板よりも上方に突出している載置部材と、前記載置部材に載置される五徳本体部とを備え、
前記五徳本体部は、前記載置部材に載置される第１被載置部と、前記第１被載置部よりも下方に位置する第２被載置部とを有し、
前記載置部材には、前記第１被載置部及び前記第２被載置部のいずれかが、選択的に載置されることを特徴とする五徳。
【請求項２】
請求項１に記載の五徳において、
前記載置部材は、複数の支柱であり、
前記五徳本体部は、五徳枠を有し、
前記第１被載置部は、前記五徳枠の下面側に形成されている複数の有底の穴の底部であり、
前記第２被載置部は、前記五徳枠の下面側の前記第１被載置部に対して周方向にずれた位置に形成され、前記第１被載置部の穴よりも浅く形成されている複数の有底の穴の底部であることを特徴とする五徳。
【請求項３】
請求項２に記載の五徳において、
前記第１被載置部の穴及び前記第２被載置部の穴の少なくとも一方は、下方に向かうほど拡径していることを特徴とする五徳。
【請求項４】
請求項１に記載の五徳において、
前記載置部材は、複数の支柱であり、
前記五徳本体部は、五徳枠を有し、
前記五徳枠は、前記第１被載置部及び前記第２被載置部と選択的に前記載置部材に載置される第３被載置部を有し、
前記第１被載置部は、前記五徳枠の下面側に形成されている複数の有底の穴の底部であり、
前記第２被載置部は、前記五徳枠の下面側の前記第１被載置部に対して周方向にずれた位置に形成され、前記第１被載置部の穴よりも浅く形成されている複数の有底の穴の底部であり、
前記第３被載置部は、前記五徳枠の下面側の前記第１被載置部及び前記第２被載置部に対して周方向にずれ、且つ、前記第１被載置部と前記第２被載置部との間となる位置に形成され、前記第１被載置部の穴よりも浅く、且つ、前記第２被載置部の穴よりも深く形成されている複数の有底の穴の底部であることを特徴とする五徳。
【請求項５】
請求項４に記載の五徳において、
前記第１被載置部の穴、前記第２被載置部の穴、及び、前記第３被載置部の穴の少なくとも一方は、下方に向かうほど拡径していることを特徴とする五徳。
【請求項６】
請求項１〜請求項５のいずれか１項に記載の五徳と、前記天板と、前記バーナボディを有するコンロ用バーナとを備えていることを特徴とするコンロ。
【発明の詳細な説明】
【技術分野】
【０００１】
本発明は、バーナボディを囲うようにして配置される五徳、及び、それを用いたコンロに関する。
【背景技術】
【０００２】
従来、燃料ガスと一次空気との混合ガスを生成する混合管と、混合管の下流側に連設されたバーナボディと、バーナボディ上に載置されて周端に沿って多数の炎孔を形成するバーナヘッドとを備えたコンロ用バーナが知られている。
【０００３】
また、そのコンロ用バーナを設置するために、天板にバーナ用開口が設けられたコンロも知られている。この種のコンロでは、通常、そのバーナヘッド、バーナボディ及びバーナ用開口を囲うようにして五徳が配置され、その内部に燃焼空間が形成されている（例えば、特許文献１参照）。
【０００４】
ところで、コンロにおけるバーナの燃焼性能及び小火時の熱効率は、燃焼空間の広さ及び燃焼空間から燃焼ガスを排気するための排気通路の大きさに影響を受ける。そこで、特許文献１のコンロは、五徳の高さを変動させることによって、燃焼空間の広さ及び排気通路の大きさを調整可能に構成されている。
【先行技術文献】
【特許文献】
【０００５】
【特許文献１】特開２００５−３２６１１９号公報
【発明の概要】
【発明が解決しようとする課題】
【０００６】
しかし、特許文献１に記載のコンロでは、五徳の高さを変動させるためのリンク機構は、火力調節レバーと連動する構成になっている。そのため、そのリンク機構の構造は、複雑なものとなっていた。また、火力の調節と独立して五徳の高さを変動させることができず、細かな火力の調節がしにくいという問題があった。
【０００７】
本発明は以上の点に鑑みてなされたものであり、簡易な構造でありながら、容易に火力の調節を行うことができる五徳及びそれを用いたコンロを提供することを目的とする。
【課題を解決するための手段】
【０００８】
本発明の五徳は、
バーナボディを囲うようにして設けられ、コンロの天板よりも上方に突出している載置部材と、前記載置部材に載置される五徳本体部とを備え、
前記五徳本体部は、前記載置部材に載置される第１被載置部と、前記第１被載置部よりも下方に位置する第２被載置部とを有し、
前記載置部材には、前記第１被載置部及び前記第２被載置部のいずれかが、選択的に載置されることを特徴とする。
【０００９】
このように構成されている本発明の五徳では、載置部材に第１被載置部を載置した際におけるバーナの火炎から五徳本体部の上端までの高さ（以下、単に「五徳の高さ」という。）は、載置部材に第２被載置部を載置した際における五徳の高さよりも、低くなる。すなわち、この五徳では、五徳本体部を移動させて、載置部材に載置される被載置部を変更するだけで、五徳の高さを変動させることができるようになっている。
【００１０】
したがって、本発明の五徳によれば、載置部材及び五徳本体部だけの簡易な構成でありながら、五徳の高さを容易に変更することができる。また、火力調節レバーによる火力の調節と独立して五徳の高さ（すなわち、バーナの火炎から調理器具までの距離）を変動させることができるので、細かな火力の調節も容易に行うことができる。
【００１１】
なお、載置部材の形状は、バーナ用開口を囲うことができ、且つ、五徳本体部を載置できるような形状であればよい。例えば、後述する複数の支柱のような形状の他、環状、一対又は３つの弧状であってもよい。
【００１２】
また、本発明の五徳においては、
前記載置部材は、複数の支柱であり、
前記五徳本体部は、五徳枠を有し、
前記第１被載置部は、前記五徳枠の下面側に形成されている複数の有底の穴の底部であり、
前記第２被載置部は、前記五徳枠の下面側の前記第１被載置部に対して周方向にずれた位置に形成され、前記第１被載置部の穴よりも浅く形成されている複数の有底の穴の底部であることが好ましい。
【００１３】
このように構成すると、五徳を周方向に回転させるだけで、五徳の高さを調整することができる。また、このように、被載置部を五徳枠の下面で周方向に並ぶように設けるのであれば、五徳に被載置部を設ける部分を別途設ける必要がなくなるので、五徳の大型化を抑制することができる。
【００１４】
また、本発明の五徳においては、載置部材を支柱とし、被載置部を穴の底部とする構成の場合、
前記第１被載置部の穴及び前記第２被載置部の穴の少なくとも一方は、下方に向かうほど拡径していることが好ましい。
【００１５】
このように構成すると、被載置部の穴の縁部に載置部材である支柱が当接した場合であっても、載置部材の先端が穴の底部に当接するように、その穴の内周面に沿って載置部材が導かれる。これにより、五徳本体部が載置部材に中途半端な位置で載置されてしまうことを防止して、五徳本体部のがたつきを抑制することができる。
【００１６】
また、本発明の五徳においては、
前記載置部材は、複数の支柱であり、
前記五徳本体部は、五徳枠を有し、
前記五徳枠は、前記第１被載置部及び前記第２被載置部と選択的に前記載置部材に載置される第３被載置部を有し、
前記第１被載置部は、前記五徳枠の下面側に形成されている複数の有底の穴の底部であり、
前記第２被載置部は、前記五徳枠の下面側の前記第１被載置部に対して周方向にずれた位置に形成され、前記第１被載置部の穴よりも浅く形成されている複数の有底の穴の底部であり、
前記第３被載置部は、前記五徳枠の下面側の前記第１被載置部及び前記第２被載置部に対して周方向にずれ、且つ、前記第１被載置部と前記第２被載置部との間となる位置に形成され、前記第１被載置部の穴よりも浅く、且つ、前記第２被載置部の穴よりも深く形成されている複数の有底の穴の底部であることが好ましい。
【００１７】
このように構成すると、五徳を周方向に回転させるだけで、五徳の高さを調整することができる。また、このように、被載置部を五徳枠の下面で周方向に並ぶように設けるのであれば、五徳に被載置部を設ける部分を別途設ける必要がなくなるので、五徳の大型化を抑制することができる。
【００１８】
さらに、この五徳では、第１被載置部と、第１被載置部と大きく高さが異なる第２被載置部との間に、第１被載置部及び第２被載置部の中間の高さを有する第３被載置部が位置している。そのため、この五徳では、五徳本体部を回転させて載置部材に載置される被載置部を変更する際に、第１被載置部及び第２被載置部の一方から他方への変更を、直接行わずに、第３被載置部を介して行うことができる。
【００１９】
これにより、五徳本体部の回転量に比較して、載置する高さが大きく変動してしまうことを抑制することができる。その結果、高さを調整する際における五徳本体部のがたつき、五徳本体部と載置部材との接触による衝撃等を抑制・防止することができる。
【００２０】
また、本発明の五徳においては、第１被載置部、第２被載置部、及び、第３被載置部を備えている構成の場合、
前記第１被載置部の穴、前記第２被載置部の穴、及び、前記第３被載置部の穴の少なくとも一方は、下方に向かうほど拡径していることが好ましい。
【００２１】
このように構成すると、被載置部の穴の縁部に載置部材である支柱が当接した場合であっても、載置部材の先端が穴の底部に当接するように、その穴の内周面に沿って載置部材が導かれる。これにより、五徳本体部が載置部材に中途半端な位置で載置されてしまうことを防止して、五徳本体部のがたつきを抑制することができる。
【００２２】
また、本発明のコンロは、
上記いずれかの五徳と、前記天板と、前記バーナボディを有するコンロ用バーナとを備えていることを特徴とする。
【図面の簡単な説明】
【００２３】
【図１】本発明の第１実施形態に係るコンロのバーナ周辺の構成を示す縦断面図であり、図１Ａは五徳が下方に位置している状態、図１Ｂは五徳が上方に位置している状態を示す。
【図２】図１のコンロのバーナ用開口周辺の構成を示す上方からの斜視図であり、図２Ａは五徳、バーナボディ及びバーナヘッドを設置していない状態、図２Ｂはバーナボディ及びバーナヘッドのみを設置した状態、図２Ｃは五徳、バーナボディ及びバーナヘッドを設置した状態を示す。
【図３】図１のコンロの五徳の構成を示す斜視図であり、図３Ａは上方から見た斜視図、図３Ｂは下方から見た斜視図。
【図４】図３Ｂの五徳のＩＶ−ＩＶ線断面図。
【図５】本発明の第２実施形態に係るコンロのバーナ周辺の構成を示す縦断面図。
【発明を実施するための形態】
【００２４】
［第１実施形態］
以下、図１〜図４を参照して、第１実施形態に係るコンロＳ１の構成について説明する。
【００２５】
図１に示すように、コンロＳ１は、システムキッチンのカウンタトップに開設した開口に落とし込むようにして設置されるコンロ本体（不図示）と、コンロ本体の上面を覆うようにしてカウンタトップに載置される天板１と、天板１に形成されたバーナ用開口１ａから露出するコンロ用バーナ２と、コンロ用バーナ２を覆うように配置される環状の五徳３とを備えている。
【００２６】
コンロ用バーナ２は、カウンタトップの内部に配置されている混合管２０と、バーナ用開口１ａと重なるように天板１に載置されている環状のバーナボディ２１と、バーナボディ２１に載置されている環状のバーナヘッド２２とを備えている。また、コンロ用バーナ２は、バーナヘッド２２の内周側に、点火プラグ２３及び温度センサ２４（図２Ｂ、図２Ｃ参照）を備えている。
【００２７】
混合管２０は、上流側の第１端部２０ａから、一次空気、及び、カウンタトップの内部に設けられているガスノズル（不図示）から噴出する燃料ガスを取り入れる。これにより、混合管２０の内部で、燃料ガスと一次空気との混合ガスが生成される。
【００２８】
また、図１及び図２Ａに示すように、混合管２０の下流側の第２端部２０ｂは、天板１のバーナ用開口１ａに挿入され、天板１の上方に対して露出している。この第２端部２０ｂを介して、混合管２０の内部で生成された混合ガスが、バーナボディ２１の内部へと供給される。
【００２９】
なお、バーナ用開口１ａと第２端部２０ｂとの間には、第１パッキン１ｂが設置されている。この第１パッキン１ｂによって、バーナ用開口１ａと第２端部２０ｂとの間の間隙は、埋められている。
【００３０】
図２Ｂに示すように、バーナボディ２１は、環状の部材である。バーナボディ２１の外周面には、後述する支柱３０に対応するように、等間隔に３つの凹部２１ａが形成されている。バーナボディ２１は、凹部２１ａのそれぞれに１つずつ支柱３０を収容するように配置することによって、位置決めされるとともに、水平方向への移動が規制される。
【００３１】
また、バーナボディ２１の上面側には、環状の第１溝部２１ｂが形成されている。また、図１に示すように、バーナボディ２１のバーナボディ２１を天板１に設置した状態でバーナ用開口１ａ（すなわち、混合管２０の第２端部２０ｂ）に対応する位置には、バーナボディ２１を上下方向に貫く連通路２１ｃが形成されている（図１参照）。
【００３２】
すなわち、第１溝部２１ｂの内部の空間と混合管２０の第２端部２０ｂの内部の空間とは、連通路２１ｃを介して連通している。そのため、混合管２０で生成された混合ガスは、連通路２１ｃを介して、第１溝部２１ｂの内部の空間（すなわち、後述する分布室２５）に導入される。
【００３３】
また、バーナボディ２１は、下面側から下方に向かって突出する柱状の脚部２１ｄを有している。脚部２１ｄは、周方向に所定間隔を存して３つ配置されている。そのため、脚部２１ｄ同士の間（すなわち、天板１とバーナボディ２１との間）を介して、バーナボディ２１の内周側の空間に、バーナボディ２１の外周側の空間から二次空気を導入可能になっている。
【００３４】
なお、脚部２１ｄの形状及び数は、バーナボディ２１のサイズ等に応じて適宜設定してよい。例えば、バーナボディ２１が十分に大きい場合には、柱状の脚部２１ｄを４つ以上設けてもよい。また、例えば、脚部２１ｄを扇形の弧の部分に対応するような形状としてもよい。この場合には、２つの脚部２１ｄを互いに対向するように設けてもよい。
【００３５】
図２Ｂに示すように、バーナヘッド２２は、環状の部材であり、その下面側には、環状の第２溝部２２ａが形成されている。この第２溝部２２ａは、バーナヘッド２２をバーナボディ２１に載置した際にバーナボディ２１の第１溝部２１ｂに対応する位置に形成されている。そのため、バーナヘッド２２をバーナボディ２１に載置した際には、第１溝部２１ｂと第２溝部２２ａとによって、分布室２５が形成される（図１参照）。
【００３６】
また、バーナヘッド２２の内周壁の下面側には、径方向に放射状に延びる第３溝部２２ｂが、周方向に所定間隔を存して複数形成されている。第３溝部２２ｂは、第２溝部２２ａの内部の空間とバーナヘッド２２の内周側の空間とを連通している。
【００３７】
ここで、バーナヘッド２２の内周壁は、バーナボディ２１の内周壁の上面に着座する（図１参照）。これにより、第３溝部２２ｂとバーナボディ２１の内周壁の上面とによって、複数の炎孔２６が形成されている。
【００３８】
コンロ用バーナ２では、バーナボディ２１とバーナヘッド２２とによって形成された分布室２５に、混合管２０で生成された混合ガスが供給される。その後、分布室２５に供給された混合ガスは、炎孔２６に供給されて内向きに火炎を形成する。すなわち、このコンロ用バーナ２は、いわゆる内炎式バーナになっている。
【００３９】
図１に示すように、五徳３は、天板１に設けられているバーナ用開口１ａを囲うようにして設けられた３本の支柱３０（載置部材）と、支柱３０に載置される五徳本体部３１とを備えている。
【００４０】
図２Ａ及び図２Ｂに示すように、支柱３０は、天板１にバーナボディ２１を載置した際に、バーナボディ２１の外周面に形成されている凹部２１ａに収容される。支柱３０の基端部は、カウンタトップの内部で固定されている。支柱３０の先端部は、天板１の支柱用開口１ｃを介して、天板１から突出している。支柱３０の先端は、球面状の凸部になっている。
【００４１】
なお、図１に示すように、支柱用開口１ｃと支柱３０との間には、第２パッキン１ｄが設置されている。この第２パッキン１ｄによって、支柱用開口１ｃと支柱３０との間の間隙は、埋められている。
【００４２】
図３Ａに示すように、五徳本体部３１は、支柱３０に載置される五徳枠３１ａと、五徳枠３１ａの上面に設けられ、鍋等の調理器具が載置される複数の五徳爪３１ｂとを有している。
【００４３】
また、図３Ｂに示すように、五徳枠３１ａは、下面側に、等間隔に形成された６個の第１穴３１ｃと、第１穴３１ｃに対して周方向にずれた位置に形成された６個の第２穴３１ｄと、第１穴３１ｃ及び第２穴３１ｄに対して周方向にずれた位置であり、且つ、第１穴３１ｃと第２穴３１ｄとの間となる位置に形成された１２個の第３穴３１ｅとを有している。
【００４４】
図４に示すように、第１穴３１ｃは、五徳爪３１ｂの裏側に設けられた有底の穴である。その底部である第１底部３１ｆ（第１被載置部）は、支柱３０の先端の形状に対応した球面状の凹部になっている。
【００４５】
第２穴３１ｄは、隣接する五徳爪３１ｂ同士の中央となる位置の裏側に設けられた有底の穴である。第２穴３１ｄは、第１穴３１ｃよりも浅く形成されている。その底部である第２底部３１ｇ（第２被載置部）は、支柱３０の先端の形状に対応した球面状の凹部になっている。
【００４６】
第３穴３１ｅは、第１穴３１ｃと第２穴３１ｄとの間に設けられた有底の穴である。第３穴３１ｅは、第１穴３１ｃよりも浅く、且つ、第２穴３１ｄよりも深く形成されている。その底部である第３底部３１ｈ（第３被載置部）は、支柱３０の先端の形状に対応した球面状の凹部になっている。
【００４７】
五徳本体部３１を支柱３０に載置する際には、五徳本体部３１の６個の第１穴３１ｃのうちのいずれか３つ、６個の第２穴３１ｄのうちのいずれか３つ、又は、１２個の第３穴３１ｅのうちのいずれか３つに、３つの支柱３０が選択的に挿入れる。
【００４８】
これにより、支柱３０の先端に、第１穴３１ｃの第１底部３１ｆ、第２穴３１ｄの第２底部３１ｇ、又は、第３穴３１ｅの第３底部３１ｈのいずれかが載置されて、五徳本体部３１が支柱３０によって支持される。
【００４９】
なお、このとき、支柱３０にいずれの底部が載置された場合であっても、五徳３の五徳枠３１ａの下面と、バーナボディ２１及びバーナヘッド２２の上面との間には、隙間が存在する。この隙間は、バーナボディ２１及びバーナヘッド２２並びに五徳の内周側の空間と外周側の空間とを連通している。そのため、この隙間を介して、外周側の空間から内周側の空間に、二次空気が導入可能となっている。
【００５０】
ここで、第２穴３１ｄは、第１穴３１ｃよりも浅く形成されており、第３穴３１ｅは、第１穴３１ｃよりも浅く、且つ、第２穴３１ｄよりも深く形成されている。すなわち、第２底部３１ｇは、第１底部３１ｆよりも下方に位置しており、第３底部３１ｈは、第１底部３１ｆよりも下方であって、且つ、第２底部３１ｇよりも上方に位置している。
【００５１】
そのため、図１に示すように、コンロ用バーナ２の火炎から五徳本体部３１の上端（具体的には、五徳爪３１ｂの上端）までの高さを五徳３の高さとした場合、支柱３０に第１底部３１ｆを載置した状態（図１Ａの状態）における高さは、支柱３０に第２底部３１ｇを載置した状態（図１Ｂの状態）における高さよりも低くなる。
【００５２】
また、支柱３０に第３底部３１ｈを載置した状態における高さは、支柱３０に第１底部３１ｆを載置した状態における高さよりも高く、支柱３０に第２底部３１ｇを載置した状態における高さよりも低くなる。
【００５３】
すなわち、この五徳３では、五徳本体部３１を移動させて、支柱３０を挿入する穴を変更するだけで、五徳３の高さを変動させることができるようになっている。
【００５４】
したがって、本実施形態の五徳３によれば、支柱３０及び五徳本体部３１だけの簡易な構成でありながら、五徳３の高さを容易に変更することができる。また、火力調節レバーによる火力の調節と独立して五徳３の高さ（すなわち、コンロ用バーナ２の火炎から調理器具までの距離）を変動させることができるので、細かな火力の調節も容易に行うことができる。
【００５５】
なお、本実施形態においては、五徳本体部３１の五徳枠３１ａの下面側に、第１穴３１ｃと第２穴３１ｄと第３穴３１ｅとが、周方向に並んで円を描くように、配置されている。
【００５６】
これにより、この五徳３では、五徳本体部３１を周方向に回転させるだけで、支柱３０が挿入される穴を変更して、五徳３の高さを変動させることができる。
【００５７】
ここで、図３Ｂ及び図４に示すように、第１穴３１ｃと第２穴３１ｄと第３穴３１ｅとは、周方向一方側に向かって、第１穴３１ｃ、第３穴３１ｅ、第２穴３１ｄ、第３穴３１ｅの順番が繰り返されるような並びになっている。
【００５８】
そのため、この五徳３では、五徳３を回転させて支柱３０が挿入される穴を周方向に１つずつずらすようにして変更する際に、第１穴３１ｃ及び第２穴３１ｄの一方から他方への変更を直接行わずに、第３穴３１ｅを介して行うことになる。
【００５９】
これにより、五徳本体部３１の回転量に比較して、載置する高さが大きく変動してしまうことを抑制されている。その結果、五徳３の高さを調整する際における五徳本体部３１のがたつき、五徳本体部３１と支柱３０との接触による衝撃等が抑制・防止されている。
【００６０】
また、この五徳３では、第１穴３１ｃと第２穴３１ｄと第３穴３１ｅとを上記のような並びとし、且つ、対称性のある配置にするために、第１穴３１ｃを６個、第２穴３１ｄを６個、第３穴３１ｅを１２個設けている。
【００６１】
これにより、五徳本体部３１は、その向きによらず、支柱３０に対して、いずれかの穴を挿入可能になっている。ただし、第１穴３１ｃ、第２穴３１ｄ及び第３穴３１ｅの数は、必ずしもそのような数にする必要はなく、少なくとも支柱３０の数（本実施形態では３個）設けられていればよい。
【００６２】
また、図３Ａに示すように、五徳枠３１ａは、環状の部材である。五徳枠３１ａの外周面の第１穴３１ｃに対応する位置には、「Ｌ」という記号である第１目印３１ｉが刻印されている。また、第２穴３１ｄに対応する位置には、「Ｈ」という記号である第２目印３１ｊが刻印されている。また、第３穴３１ｅに対応する位置には、「Ｍ」という記号である第３目印３１ｋが刻印されている。
【００６３】
一方、図２Ｃに示すように、天板１には、支柱３０に対応する所定の位置に、矢印形状の指示用目印１ｅが設けられている。この指示用目印１ｅは、支柱３０に五徳本体部３１が載置されている状態で、五徳本体部３１の外周面に設けられている第１目印３１ｉ、第２目印３１ｊ及び第３目印３１ｋのいずれか（ずなわち、支柱３０が第１穴３１ｃ、第２穴３１ｄ及び第３穴３１ｅのいずれかに挿入されているか）を指し示すようになっている。
【００６４】
そのため、指示用目印１ｅが指し示す記号は、支柱３０がどの穴に挿入されているか（すなわち、五徳３の高さ）を表すものとなっている。これにより、使用者は、上方から五徳３を見た状態でも、目印によって五徳３の高さを容易に把握できるようになっている。
【００６５】
また、図４に示すように、第１穴３１ｃの縁部である第１縁部３１ｌは、第２穴３１ｄの縁部である第２縁部３１ｍ、第３穴３１ｅの縁部である第３縁部３１ｎは、いずれも、下方（図４では上方）に向かうほど拡径している。
【００６６】
これは、支柱３０に五徳本体部３１を載置する際に、それらの縁部に支柱３０の先端が当接した場合であっても、支柱３０の先端がそれらの穴の底部に当接するように、その穴の内周面に沿って支柱３０を導くためである。
【００６７】
これにより、五徳本体部３１が支柱３０に中途半端な位置で載置されてしまうことを防止して、五徳本体部３１のがたつきを抑制している。なお、本発明の五徳は、このような構成に限定されるものではなく、穴の縁部を下方に向かうほど拡径させず、穴の径を一定としてもよい。
【００６８】
［第２実施形態］
以下、図５を参照して、第２実施形態に係るコンロＳ２の構成について説明する。
【００６９】
ただし、第１実施形態のコンロＳ２と同様の構成、又は、対応する構成については同じ符号を付すとともに、それらについての詳細な説明は省略する。
【００７０】
図５に示すように、コンロＳ２は、システムキッチンのカウンタトップに開設した開口に落とし込むようにして設置されるコンロ本体（不図示）と、コンロ本体の上面を覆うようにしてカウンタトップに載置される天板１と、天板１に形成されたバーナ用開口１ｆから露出するコンロ用バーナ２と、コンロ用バーナ２を覆うように配置される環状の五徳３とを備えている。
【００７１】
コンロ用バーナ２は、カウンタトップの内部に配置されている混合管２０と、混合管２０の下流端に連設され、バーナ用開口１ｆから露出するバーナボディ２７と、バーナボディ２７の上部に載置されているバーナヘッド２８と、バーナボディ２７の周囲に配置され、バーナ用開口１ｆを覆う閉塞板２９とを備えている。バーナボディ２７及びバーナヘッド２８の外周側に、点火プラグ２３及び温度センサ（不図示）を備えている。
【００７２】
バーナボディ２７は、外筒２７ａと、外筒２７ａの内側に設けられた内筒２７ｂとを有している。
【００７３】
外筒２７ａと内筒２７ｂとの間には、環状の空間である混合ガス通路２７ｃが形成されている。混合ガス通路２７ｃには、混合管２０で生成された混合ガスが供給される。
【００７４】
外筒２７ａの上端部には、内周側に向かって折り曲げられることによって、支持部２７ｄが形成されている。支持部２７ｄは、後述するバーナヘッド２８の環状部２８ａを支持する。
【００７５】
バーナヘッド２８は、環状部２８ａと、環状部２８ａと同心の垂下筒部２８ｂとを有している。環状部２８ａは、バーナボディ２７の外筒２７ａの上端部に形成された支持部２７ｄの上面に着座する。また、垂下筒部２８ｂは、バーナボディ２７の内筒２７ｂに嵌装される。
【００７６】
環状部２８ａの下面には、径方向に放射状に延びる第４溝部２８ｃが、周方向に所定間隔を存して複数形成されている。第４溝部２８ｃは、混合ガス通路２７ｃの内部の空間とバーナヘッド２８の外周側の空間とを連通している。
【００７７】
ここで、バーナヘッド２８の環状部２８ａは、バーナボディ２７の外筒２７ａの上端部に形成された支持部２７ｄの上面に着座する。これにより、第４溝部２８ｃと支持部２７ｄの上面とによって、複数の炎孔２６が形成されている。
【００７８】
コンロ用バーナ２では、バーナボディ２７の内部の混合ガス通路２７ｃに、混合管２０で生成された混合ガスが供給される。その後、混合ガス通路２７ｃに供給された混合ガスは、炎孔２６に供給されて外向きに火炎を形成する。すなわち、このコンロ用バーナ２は、いわゆる外炎式バーナになっている。
【００７９】
閉塞板２９は、環状の部材である。閉塞板２９は、バーナ用開口１ｆとバーナ用開口１ｆから露出するバーナボディ２７との間に形成される間隙を閉塞する。
【００８０】
図５に示すように、五徳３は、閉塞板２９の周縁部に、上方に向かって突出するように設けられた突起３２（載置部材）と、突起３２に載置される五徳本体部３１とを備えている。突起３２は、周方向に所定間隔を存して３つ設けられている。突起３２の先端は、球面状の凸部になっている。
【００８１】
五徳本体部３１は、突起３２に載置される五徳枠３１ａと、五徳枠３１ａの上面に設けられ、鍋等の調理器具が載置される複数の五徳爪３１ｂとを有している。本実施形態の五徳本体部３１は、五徳爪３１ｂの高さが第１実施形態の五徳爪３１ｂの高さよりも高い点を除き同様の構成となっている。
【００８２】
そのため、本実施形態の五徳枠３１ａは、第１実施形態の五徳枠３１ａと同様に、下面側に、等間隔に形成された６個の第１穴３２ａと、第１穴３２ａに対して周方向にずれた位置に形成された６個の第２穴と、第１穴３２ａ及び第２穴に対して周方向にずれた位置であり、且つ、第１穴３２ａと第２穴との間となる位置に形成された１２個の第３穴とを有している。これらの穴には、突起３２が選択的に挿入可能となっている。
【００８３】
このように構成されているコンロＳ３においても、第１実施形態のコンロＳ１と同様に、五徳本体部３１を移動させて、突起３２を挿入する穴を変更するだけで、五徳３の高さを変動させることができるようになっている。
【００８４】
したがって、本実施形態の五徳３によれば、突起３２及び五徳本体部３１だけの簡易な構成でありながら、五徳３の高さを容易に変更することができる。また、火力調節レバーによる火力の調節と独立して五徳３の高さ（すなわち、コンロ用バーナ２の火炎から調理器具までの距離）を変動させることができるので、細かな火力の調節も容易に行うことができる。
【００８５】
［その他の実施形態］
以上、図示の実施形態について説明したが、本発明はこのような形態に限られるものではない。
【００８６】
例えば、上記実施形態では、コンロＳ１は、システムキッチンのカウンタトップ（不図示）に組み込むビルトイン式コンロとして構成されている。しかし、本発明のコンロは、そのような構成に限定されるものではなく、据え置き式コンロにも適用してもよい。
【００８７】
また、例えば、上記第１実施形態では、３本の支柱３０（載置部材）に五徳本体部３１の下面側に設けられた第１穴３１ｃ、第２穴３１ｄ、第３穴３１ｅの底部（被載置部）を載置している。これは、第１穴３１ｃ、第２穴３１ｄ、第３穴３１ｅに支柱３０を挿入することによって、支柱３０と五徳本体部３１との相対的な位置を固定して、五徳３のがたつきを防止するためである。
【００８８】
しかし、本発明における載置部材及び被載置部の構成は、そのような構成に限定されるものではなく、五徳本体部の位置及び高さを固定できるものであればよい。
【００８９】
例えば、支柱の先端を凹部とし、五徳本体部の下面側に高さの異なる複数の凸部を被載置部として、支柱の先端に被載置部を勘合させるようにしてもよい。また、支柱の先端及び載置部を平坦な形状としてもよい。
【００９０】
また、例えば、載置部材の形状も支柱ではなく、半円状の枠体であってもよい。また、例えば、載置部材としてフック等を採用し、五徳本体部の周縁部を被載置部として、五徳本体部を載置部材で係止するようにしてもよい。
【００９１】
また、上記第１実施形態では、五徳本体部３１の五徳枠３１ａの下面側に、第１穴３１ｃと第２穴３１ｄと第３穴３１ｅとが、周方向に並んで円を描くように、配置されている。これは、五徳本体部３１を周方向に回転させることによって、五徳３の高さを変動させることができるようにするためである。また、五徳３に被載置部を設ける部分を別途設ける必要をなくして、五徳３の大型化を抑制するためである。しかし、本発明の五徳はそのような構成に限定されるものではなく、複数の高さを有する載置部を有するものであればよい。
【００９２】
例えば、上記第１実施形態における第１穴３１ｃ及び第２穴３１ｄを、周方向にずれた位置ではなく、水平方向にずれた位置に設けてもよい。
【００９３】
また、上記第１実施形態では、五徳３の高さを、「Ｌ」、「Ｍ」、「Ｈ」の３種類に変動可能に構成されている。しかし、本発明の五徳はそのような構成に限定されるものではなく、複数の被載置部のうちから選択されたいずれかの被載置部を、載置部材に載置することによって、五徳の高さを選択的に変動させられるものであればよい。
【００９４】
例えば、２種類の被載置部を設けることによって、「Ｌ」と「Ｈ」の２つの高さから選択可能であってもよいし、４種類以上の被載置部を設けることによって、４つ以上の高さから選択可能であってもよい。
【００９５】
また、例えば、五徳枠の下面に設けられ、位置によって高さの異なる環状の溝の底部を被載置部として、無段で高さを変動できるようにしてもよい。なお、その場合には、五徳の位置を固定するための機構を別途設けることが好ましい。
【００９６】
また、上記第１実施形態では、使用者が五徳３の高さを容易に把握できるようにするために、五徳枠３１ａの外周面に第１目印３１ｉとして「Ｌ」、第２目印３１ｊとして「Ｈ」、第３目印３１ｋとして「Ｍ」という記号を刻印している。しかし、本発明の目印は、そのような構成に限定されるものではない。
【００９７】
例えば、刻印に代わり、シールを張り付けたり、塗料によってマークを描いたりすること等によって目印を設けてもよい。また、選択し得る高さに対応する位置の全てに対して目印を設ける必要はなく、五徳の高さが最も高くなる位置及び五徳の高さが最も低くなる位置のいずれか一方又は両方のみについて、目印を設けてもよい。
【００９８】
また、例えば、上記第１実施形態の指示用目印１ｅのような、高さを指し示すための目印は省略してもよい。さらに、例えば、五徳の高さの変動量が多く、使用者が上方から見た際に、一目で高さが認識できるような場合には、五徳の目印を省略してもよい。
【００９９】
また、上記第１実施形態では、二次空気を五徳３の内部空間に導入しやすくするために、五徳本体部３１をいずれの位置で支柱３０に載置した場合であっても、五徳３の五徳本体部３１の下面と、バーナボディ２１及びバーナヘッド２２の上面との間に、間隙が形成されるように構成されている。しかし、本発明の五徳はそのような構成に限定されるものではない。
【０１００】
例えば、バーナボディと天板との間から五徳の内部空間に十分な二次空気を導入できる場合等には、五徳の外周円から下方に延びる筒状のスカート部を設けてもよい。このようなスカート部を設けた場合には、バーナボディがそのスカート部によって覆われるので、コンロの美観を向上させることができる。
【符号の説明】
【０１０１】
１…天板、１ａ…バーナ用開口、１ｂ…第１パッキン、１ｃ…支柱用開口、１ｄ…第２パッキン、１ｅ…指示用目印、１ｆ…バーナ用開口、２…コンロ用バーナ、３…五徳、２０…混合管、２０ａ…第１端部、２０ｂ…第２端部、２１，２７…バーナボディ、２１ａ…凹部、２１ｂ…第１溝部、２１ｃ…連通路、２１ｄ…脚部、２２，２８…バーナヘッド、２２ａ…第２溝部、２２ｂ…第３溝部、２３…点火プラグ、２４…温度センサ、２５…分布室、２６…炎孔、２７ａ…外筒、２７ｂ…内筒、２７ｃ…混合ガス通路、２７ｄ…支持部、２８ａ…環状部、２８ｂ…垂下筒部、２８ｃ…第４溝部、２９…閉塞板、３０…支柱（載置部材）、３１…五徳本体部、３１ａ…五徳枠、３１ｂ…五徳爪、３１ｃ…第１穴、３１ｄ…第２穴、３１ｅ…第３穴、３１ｆ…第１底部（第１被載置部）、３１ｇ…第２底部（第２被載置部）、３１ｈ…第３底部（第３被載置部）、３１ｉ…第１目印、３１ｊ…第２目印、３１ｋ…第３目印、３１ｌ…第１縁部、３１ｍ…第２縁部、３１ｎ…第３縁部、３２…突起（載置部材）、Ｓ１，Ｓ２…コンロ。
【図１】
2019207037.tif 000003
【図２】
2019207037.tif 000004
【図３】
2019207037.tif 000005
【図４】
2019207037.tif 000006
【図５】
2019207037.tif 000007